(57)【要約】【課題】  場所を取らず、しかも表面に露出したマットシートの交換が簡単なフロアマットを提供すること。【解決手段】  少なくとも２枚のマットシートからなるフロアマットであり、マットシート同士は磁力の作用により互いに連結しており、取り外したマットシートを、取り外した面とは反対面に、磁力の作用により再度連結可能なフロアマットである。そのため、表面又は裏面に露出したマットシートを取り外すことができ、しかもこの取り外したマットシートを取り外した面とは反対面に、磁力の作用により再度連結可能であるため、別のマットシートを表面に露出させることができるとともに、表面に露出していたマットシートをフロア側に収納することができる。したがって、別の場所に保管する必要がないとともに、マットシートの交換が簡単である。【選択図】      図１
2012188056.tif 000002
【特許請求の範囲】
【請求項１】
少なくとも２枚のマットシートからなるフロアマットであり、前記マットシート同士は磁力の作用により互いに連結しており、取り外したマットシートを、取り外した面とは反対面に、磁力の作用により再度連結可能であることを特徴とするフロアマット。
【発明の詳細な説明】
【技術分野】
【０００１】
本発明はフロアマットに関する。
【背景技術】
【０００２】
フロアマット、例えば、自動車用フロアマットとして、基材シート（例えば、ラバーシート、ポリ塩化ビニル樹脂シート）と表材繊維シート（例えば、カーペットシート）とからなる分離型フロアマットが公知である。
【０００３】
例えば、特許文献１には、ポリ塩化ビニル樹脂シート等の高分子シートとカーペットとを、スナップなどの係合治具により分離可能に結合される自動車用フロアマットが開示されている。また、特許文献２には、表材シートとベース部とを、凹凸型嵌合手段により結合させる分離型フロアマットが、特許文献３には、表材（インナーマット）と基材（フロアマットベース）とを、一対の面ファスナーで結合させる分離型自動車用フロアマットが、それぞれ、開示されている。
【０００４】
また、特許文献４には、カーペットマットとゴム台とからなり、ゴム台本体の周縁部に設けられた保持溝に、カーペットマットの周縁部を挿入させることができる分離型フロアマットが開示されている。特許文献５には、表材シートと、保持溝を周縁部に設けたベース部とからなり、表材シートの周縁部を前記保持溝に挿入させる分離型自動車用フロアマットが開示されている。
【０００５】
特許文献１〜５に記載のこれらの分離型フロアマットは、使用するシーンによって、上層の表材シートを取り外して、ベースのみで使用することを意図しており、その他の利点としては、廃棄時のリサイクル性の向上や、表材シートのみの交換が可能である点が挙げられる。しかしながら、これらの分離型フロアマットでは、取り外した表材シートを別の場所（例えば、トランクルーム）に保管しなければならない欠点があった。
【０００６】
この欠点を改良したフロアマットとして、本願出願人らは「任意の順序で重ね合わせて使用可能な２枚のマットシートからなるフロアマットであって、第１のマットシートに、一対の連結手段の一方の連結パートナーを有する連結パートナー担持キャリアと、貫通孔とが設けられ、第２のマットシートに、前記連結手段のもう一方の連結パートナーが設けられ、第２のマットシートの上に第１のマットシートを重ねてフロアマットとして使用する場合に、第２のマットシートに設けた前記連結パートナーと、前記キャリアに設けた前記連結パートナーとを、前記貫通孔を介して連結させることができるフロアマット」（特許文献６）を提案した。このフロアマットは確かに場所を取らないものであったが、貫通孔を介して連結させる連結作業は煩雑であった。
【先行技術文献】
【特許文献】
【０００７】
【特許文献１】実開平５−２９８４７号公報
【特許文献２】特開２００１−８８５９９号公報
【特許文献３】特開２００４−９８７２０号公報
【特許文献４】特開平７−２０４１５５号公報
【特許文献５】特開２０００−２７２３９９号公報
【特許文献６】特開２００９−１１５９１号公報
【発明の概要】
【発明が解決しようとする課題】
【０００８】
本発明は上述のような点に鑑みてなされたものであり、場所を取らず、しかも表面に露出したマットシートの交換が簡単なフロアマットを提供することを目的とする。
【課題を解決するための手段】
【０００９】
本発明の請求項１にかかる発明は、「少なくとも２枚のマットシートからなるフロアマットであり、前記マットシート同士は磁力の作用により互いに連結しており、取り外したマットシートを、取り外した面とは反対面に、磁力の作用により再度連結可能であることを特徴とするフロアマット。」である。
【発明の効果】
【００１０】
本発明の請求項１にかかるフロアマットは、マットシート同士は磁力の作用により互いに連結しているため、表面に露出したマットシートを取り外すことができ、しかもこの取り外したマットシートを取り外した面とは反対面、つまり別のマットシートの裏面に、磁力の作用により再度連結可能である。または、裏面に露出したマットシートを取り外すことができ、しかもこの取り外したマットシートは取り外した面とは反対面、つまり別のマットシートの表面に、磁力の作用により再度連結可能である。そのため、表面に露出していないフロア側のマットシートを表面に露出させることができるとともに、表面に露出していたマットシートをフロア側に収納することができるため、別の場所（例えば、トランクルーム）に保管する必要がないとともに、表面に露出したマットシートの交換が簡単である。
【図面の簡単な説明】
【００１１】
【図１】本発明のフロアマットの一態様を模式的に示す表面側平面図。
【図２】図１に示すＡ−Ａ線部分断面図。
【図３】図２における表面に露出したカーペットマットシートをフロア側に位置する樹脂マットシートから取り外した状態を示す部分断面図。
【図４】図３における取り外したカーペットマットシートを樹脂マットシートの裏面側に配置させた状態を示す部分断面図。
【図５】図４における取り外したカーペットマットシートを樹脂マットシートに再度連結させた状態を示す部分断面図。
【図６】図５のフロアマットを模式的に示す表面側平面図。
【発明を実施するための最良の形態】
【００１２】
本発明のフロアマットについて、添付図面に沿って説明する。
【００１３】
図１は、本発明のフロアマット１００の一態様であって、樹脂マットシート１０の上にカーペットマットシート２０（露出マットシート）を重ねた状態のフロアマット１００の、表面側（敷設時に目視できる側）の平面図である。図２は図１に示すＡ−Ａ線部分断面図であり、図３は図２における表面に露出したカーペットマットシート２０（露出マットシート）を、フロア側に位置する樹脂マットシート１０から取り外した状態を示す部分断面図である。また、図４は図３における取り外したカーペットマットシート２０（露出マットシート）を、樹脂マットシート１０の裏面側に配置させた状態を示す部分断面図であり、図５は図４における取り外したカーペットマットシート２０（露出マットシート）を、樹脂マットシート１０に再度連結させた状態を示す部分断面図である。更に、図６は図５のフロアマット１００を模式的に示す表面側平面図である。
【００１４】
図１〜図６に示すフロアマット１００は樹脂マットシート１０とカーペットマットシート２０とからなる。樹脂マットシート１０は、好ましくは弾性軟質の防水素材からなり、図３〜図５に示すように、カーペットマットシート２０を載置可能な平坦部１０ｃの周縁に沿って、立ち上がり部１０ｂ、及びそれに続く外周縁部１０ａを有する。このように、樹脂マットシート１０は立ち上がり部１０ｂを有するため、樹脂マットシート１０は平坦部１０ｃにカーペットマットシート２０を保持し、水平方向への移動を防止することができる。また、砂、泥、ごみ、泥水やこぼれた飲料水などがフロアマット１００からこぼれて床（例えば、車両床）を汚すことを防止することができる。
【００１５】
図１〜図６における樹脂マットシート１０には、カーペットマットシート２０と磁力の作用により連結できるように、円盤状の磁石１１が６ヶ所に埋設されている。なお、磁石１１としては、例えば、ネオジウム磁石、サマリウムコバルト磁石などの希土類磁石、フェライト磁石、アルミニウム・ニッケル・コバルト鋳造磁石などを使用することができる。また、図１〜図６における樹脂マットシート１０において平坦部１０ｃは、樹脂マットシート１０の磁石１１が埋設されている部分に段差がなく、平坦である。そのため、樹脂マットシート１０とカーペットマットシート２０とが連結しやすい。
【００１６】
一方で、カーペットマットシート２０は樹脂マットシート１０と磁力の作用により連結できるように、鉄、コバルト、ニッケル、ガドリニウムなどの強磁性体からなる太鼓状の連結具２１が、カーペットマットシート２０を樹脂マットシート１０に重ねた際に、樹脂マットシート１０の磁石１１とそれぞれ一致する位置に、それぞれ設置されている。そのため、カーペットマットシート２０を樹脂マットシート１０に重ねた場合、図２に示すように、連結具２１と磁石１１とが磁力の作用により連結した状態にある。なお、連結具２１の露出面は、磁石１１の連結具２１との対向面よりも若干小さい大きさを有する。
【００１７】
また、カーペットマットシート２０にはピンを挿入できる固定用貫通孔２２ａが固定用鳩目２２によって形成されている。また、カーペットマットシート２０を樹脂マットシート１０に積層した際に、固定用貫通孔２２ａと繋がる位置に、樹脂マットシート１０には固定用貫通孔１２ａ（図６参照）が形成されており、固定用貫通孔１２ａが拡大しないように、固定用貫通孔１２ａの周囲には他の平坦部１０ｃよりも若干厚さの厚い補強部１２が形成されている。そのため、フロアに固定したピンを樹脂マットシート１０の固定用貫通孔１２ａ、及びカーペットマットシート２０の固定用貫通孔２２ａに挿入し、貫通させることによって、フロアマット１００をフロアに固定し、フロアマット１００の水平方向への移動を効果的に防止することができる。
【００１８】
このようなフロアマット１００を図１、図２に示す状態で使用した場合、使用者はカーペットマットシート２０を認識することができ、意匠性に優れていることから、快適に使用することができる。
【００１９】
図１に示すフロアマット１００を、例えば、土砂、水や雪が多く存在する環境下で使用するなど、従来とは異なるシチュエーションで使用しようとする場合、図３に示すように、まず、カーペットマットシート２０を表面方向上方（Ｂ方向）へ引張り、樹脂マットシート１０からカーペットマットシート２０を取り外し、樹脂マットシート１０とカーペットマットシート２０とを分離する。次いで、矢印Ｃで示すように、カーペットマットシート２０を樹脂マットシート１０の下側に移動させる（図４参照）。その後、図４に示すように、カーペットマットシート２０の連結具２１（強磁性体）と樹脂マットシート１０の磁石１１との磁力の作用により、再度、カーペットマットシート２０と樹脂マットシート１０とを連結し、カーペットマットシート２０を樹脂マットシート１０の下側に収納することができる（図５、図６）。このように、表面に露出したカーペットマットシート２０を交換した場合であっても、カーペットマットシート２０を樹脂マットシート１０の下側に収納できるため、収納場所を取らない。また、上述のように、カーペットマットシート２０を取り外し、樹脂マットシート１０の下側に移動させるだけで表面に露出するマットシートを変えることができるため、交換作業性に優れている。
【００２０】
この図１〜図６のようなフロアマット１００は、例えば、次のようにして製造することができる。まず、常法によりカーペットマットシート２０を製造した後、強磁性体からなる連結具２１を鳩目連結機などで設置する。また、樹脂マットシート１０が熱硬化性樹脂からなる場合にはヒートプレス成形する際、また、樹脂マットシート１０が熱可塑性樹脂からなる場合には予め加熱した後にコールドプレス成形する際に、磁石１１を挿入して、磁石１１を埋設した樹脂マットシート１０を製造する。次いで、カーペットマットシート２０と樹脂マットシート１０とを磁力の作用により連結させることによって、フロアマット１００を製造することができる。
【００２１】
なお、図１〜図６においては、表面側のカーペットマットシート２０を樹脂マットシート１０から取り外し、樹脂マットシート１０の裏面側に再度連結させた場合であるが、表面側のマットシートを取り外すのではなく、裏面側のマットシートを取り外し、表面側で再度連結させる方法によっても、別のマットシートを表面に露出させることができるとともに、表面に露出していたマットシートをフロア側に収納することができる。このように、本発明においては、少なくとも１枚のマットシートが取り外し可能であれば良く、いずれのマットシートを取り外し可能であっても良い。
【００２２】
図１〜図６におけるフロアマット１００はカーペットマットシート２０と樹脂マットシート１０の２枚のマットシートから構成されているが、２枚のマットシートから構成されている必要はなく、３枚以上であっても良い。マットシートの数が多ければ多いほど、シチュエーションに対応させて、マットシートを表面に露出させて使用することができる。
【００２３】
マットシートとしては、前述のようなカーペットマットシート２０、樹脂マットシート１０に限定されず、例えば、カーペットマットシート２０と樹脂マットシートとの複合マットシートを使用することもできる。なお、カーペットマットシート２０としては、例えば、天然繊維又は合成繊維からなるタフテッドカーペット、ニードルパンチカーペット、フックカーペット、又は織物基布を挙げることができ、樹脂マットシート１０としては、例えば、天然ゴム若しくは合成ゴム（例えば、スチレン−ブタジエンゴム、ブタジエンゴム、イソプレンゴム、又はニトリル−ブタジエンゴム）、又は熱可塑性エラストマー（例えば、スチレン系、ポリオレフィン系、又はポリ塩化ビニル系の各熱可塑性エラストマー）からなる樹脂マットシート１０を挙げることができる。本発明で用いるマットシートとしてカーペットマットシート２０を含んでいると、意匠性に優れているため好適である。なお、マットシートとして樹脂マットシート１０を含む場合、樹脂マットシート１０の平坦部１０ｃには、横滑りを防ぐために、デザイン上の観点、或いは使用者のズボンの裾を濡らすことがないように、各種凹凸模様を付することができる。また、カーペットマットシート２０、樹脂マットシート１０などのマットシートは、マットシートの耐久性を高めるために、踵が頻繁に接触する箇所にパッドを装着したり、前記箇所の厚さを厚くするのが好ましい。
【００２４】
図１〜図６におけるフロアマット１００においては、樹脂マットシート１０に磁石１１を埋設し、カーペットマットシート２０に強磁性体からなる連結具２１を配設しているが、樹脂マットシート１０に強磁性体を配設し、カーペットマットシート２０に磁石１１からなる連結具を配設しても良い。また、樹脂マットシート１０とカーペットマットシート２０のいずれも磁石とすることもできる。なお、樹脂マットシート１０に磁石１１を埋設しているが、埋設する必要はなく、樹脂マットシート１０の片面又は両面に露出していても良い。同様に、図１〜図６におけるカーペットマットシート２０においては、両面に連結具２１が露出した状態にあるが、埋設した状態にあっても良いし、片面のみ露出した状態にあっても良い。
【００２５】
また、図１〜図６におけるフロアマット１００においては、磁石１１の対向面の方が連結具２１の対向面よりも若干大きいが、同じ大きさであっても良いし、小さくても良い。また、磁石１１の対向面と連結具２１の対向面とは同じ形状である必要はない。更に、図１〜図６においては、樹脂マットシート１０の平坦部１０ｃは磁石１１が存在する箇所においても平坦であり、また、カーペットマットシート２０も連結具２１が存在する箇所を含めて、表面、裏面のいずれも平坦であるが、いずれも平坦である必要はない。場合によっては、磁石１１と連結具２１とが物理的に勘合する形状を有していても良い。
【００２６】
図１〜図６におけるフロアマット１００においては、６ヶ所に磁石１１及び連結具２１が配設され、磁力の作用により連結できるが、６ヶ所である必要はない。
【００２７】
なお、図１〜図６における樹脂マットシート１０の平坦部１０ｃの外周形状とカーペットマットシート２０の外周形状とはほぼ同じ、かつほぼ同じ大きさであるが、外周形状、大きさともに同じである必要はない。しかしながら、樹脂マットシート１０の平坦部１０ｃの外周形状とカーペットマットシート２０の外周形状とはほぼ同じ、かつほぼ同じ大きさであると、カーペットマットシート２０の水平方向へのずれを効果的に防止することができる。
【産業上の利用可能性】
【００２８】
本発明のフロアマットは、例えば、自動車用フロアマットの用途に好適に適用することができる。
【符号の説明】
【００２９】
１０  樹脂マットシート
１０ａ  外周縁部
１０ｂ  立ち上がり部
１０ｃ  平坦部
１１  磁石
１２  補強部
１２ａ  固定用貫通孔
２０  カーペットマットシート
２１  連結具
２２  固定用鳩目
２２ａ  固定用貫通孔
１００  フロアマット
【図１】
2012188056.tif 000003
【図２】
2012188056.tif 000004
【図３】
2012188056.tif 000005
【図４】
2012188056.tif 000006
【図５】
2012188056.tif 000007
【図６】
2012188056.tif 000008